(57)【要約】【課題】コルゲートチューブにおける粘着テープとの接着性を高めること、及び、コルゲートチューブに対して粘着テープを適切に巻き付ける作業を容易化すること。【解決手段】蛇腹構造を有するコルゲートチューブ１０における、外側表面の出っ張り部１２の部分に、コルゲートチューブ１０に巻き付けられる粘着テープに食い込む複数の第一突起部２０及び複数の第二突起部３０が形成されている。複数の第一突起部２０は、コルゲートチューブ１０の外側表面における一本の螺旋の経路Ｄ１に沿う位置においてそれぞれ同一の形態で形成されている。複数の第二突起部３０各々は、第一突起部２０各々と異なる形態で形成されている。【選択図】図１
2012090500.tif 000002
【特許請求の範囲】
【請求項１】
長手方向に沿って表面に出っ張り部とへこみ部とが交互に形成された蛇腹構造を有し、電線の周囲を覆うコルゲートチューブであって、
外側表面の前記出っ張り部の部分に、当該コルゲートチューブに巻き付けられる粘着テープに食い込む複数の突起部が形成されていることを特徴とするコルゲートチューブ。
【請求項２】
複数の前記突起部に、外側表面における一本の螺旋の経路に沿う位置においてそれぞれ同一の形態で形成された複数の目印用突起部が含まれている、請求項１に記載のコルゲートチューブ。
【請求項３】
複数の前記突起部のうちの少なくとも一部は、前記螺旋の経路に直交する方向に伸びて形成されている、請求項１又は請求項２のいずれかに記載のコルゲートチューブ。
【請求項４】
電線と、
長手方向に沿って表面に出っ張り部とへこみ部とが交互に形成された蛇腹構造を有し、前記電線の周囲を覆うコルゲートチューブと、
前記コルゲートチューブに巻き付けられた粘着テープと、を備え、
前記コルゲートチューブにおける外側表面の前記出っ張り部の部分に、前記粘着テープに食い込む複数の突起部が形成されていることを特徴とするワイヤハーネス。
【請求項５】
複数の前記突起部に、前記コルゲートチューブの外側表面における一本の螺旋の経路に沿う位置においてそれぞれ同一の形態で形成された複数の目印用突起部が含まれ、
前記粘着テープは、前記目印用突起部に沿って螺旋状に前記コルゲートチューブに対して巻き付けられている、請求項４に記載のワイヤハーネス。
【発明の詳細な説明】
【技術分野】
【０００１】
本発明は、電線の周囲を覆うコルゲートチューブ及びそれを備えたワイヤハーネスに関する。
【背景技術】
【０００２】
従来、自動車などの車両に搭載されるワイヤハーネスは、複数の電線の周囲を覆う電線保護具としてコルゲートチューブを備えることが多い。コルゲートチューブは、蛇腹構造を有することによって長手方向における柔軟性を有する筒状の部材である。電線は、コルゲートチューブで覆われることにより、振動又は可動部の動きに応じて周囲の部材との接触することがなくなり、耐久性が高まる。
【０００３】
また、特許文献１に示されるように、コルゲートチューブは、通常、その長手方向全体に渡る一連の切れ目が形成されている。コルゲートチューブは、所定の治具を用いて切れ目の両側へ拡げられることによって長手方向全体に渡る隙間が形成され、電線は、その隙間からコルゲートチューブ内へ挿入される。また、電線が挿入されたコルゲートチューブは、電線が切れ目から外側へはみ出さないように、粘着テープで巻かれることによって筒状に保持される。また、粘着テープは、コルゲートチューブに巻かれる際に、コルゲートチューブの外側表面における螺旋の経路に沿って巻かれる。
【先行技術文献】
【特許文献】
【０００４】
【特許文献１】特開２００９−５４２２号公報
【発明の概要】
【発明が解決しようとする課題】
【０００５】
ところで、コルゲートチューブは、外側表面にへこみ部が形成されているため、粘着テープとの接触面積が比較的小さく、粘着テープとの接着性が良いとはいえない。そのため、従来のコルゲートチューブは、巻き付けられた粘着テープが剥がれやすいという問題点を有している。
【０００６】
また、コルゲートチューブにおいて、粘着テープは、予め定められた適切な螺旋の経路に沿って巻かれなければ、十分な耐久性をもってコルゲートチューブを筒状に保持することができない。しかしながら、従来のコルゲートチューブは、粘着テープを適切な螺旋の経路に沿って巻く作業を容易化するための構成を何ら備えていない。そのため、従来のコルゲートチューブは、粘着テープの巻き付け作業に熟練を要するという問題点も有している。
【０００７】
本発明は、コルゲートチューブにおける粘着テープとの接着性を高めること、及び、コルゲートチューブに対して粘着テープを適切に巻き付ける作業を容易化することを目的とする。
【課題を解決するための手段】
【０００８】
本発明に係るコルゲートチューブは、長手方向に沿って表面に出っ張り部とへこみ部とが交互に形成された蛇腹構造を有し、電線の周囲を覆う電線保護具である。そして、本発明に係るコルゲートチューブは、外側表面の出っ張り部の部分に、当該コルゲートチューブに巻き付けられる粘着テープに食い込む複数の突起部が形成されている。
【０００９】
また、本発明に係るコルゲートチューブにおいて、複数の突起部に、外側表面における一本の螺旋の経路に沿う位置においてそれぞれ同一の形態で形成された複数の目印用突起部が含まれていれば好適である。
【００１０】
また、本発明に係るコルゲートチューブにおいて、複数の突起部のうちの少なくとも一部が、螺旋の経路に直交する方向に伸びて形成されていることが考えられる。
【００１１】
また、本発明は、電線と、以上に示された本発明に係るコルゲートチューブと、そのコルゲートチューブに巻き付けられた粘着テープと、を備えるワイヤハーネスの発明として捉えられてもよい。
【００１２】
また、本発明に係るワイヤハーネスにおいて、複数の突起部に、コルゲートチューブの外側表面における一本の螺旋の経路に沿う位置においてそれぞれ同一の形態で形成された複数の目印用突起部が含まれることが考えられる。この場合、粘着テープは、目印用突起部に沿って螺旋状にコルゲートチューブに対して巻き付けられている。
【発明の効果】
【００１３】
本発明に係るコルゲートチューブにおける外側表面の出っ張り部の部分、即ち、粘着テープと接触する面には、粘着テープに食い込む複数の突起部が形成されている。それら突起部は、コルゲートチューブにおける粘着テープの接着層との接触面積を大きくするとともに、粘着テープとの間の摩擦抵抗を大きくする役割を果たす。従って、本発明に係るコルゲートチューブは、従来のコルゲートチューブに比べ、粘着テープとの接着性が良好であり、粘着テープが剥がれにくい特性を有する。
【００１４】
また、コルゲートチューブの外側表面に、一本の螺旋の経路に沿う位置においてそれぞれ同一の形態で形成された複数の目印用突起部が形成されていればなお好適である。作業者は、粘着テープをその目印用突起部に沿って巻き付けるだけで、粘着テープは、コルゲートチューブに対して適切な螺旋の経路に沿って巻き付けられる。即ち、本発明に係るコルゲートチューブが採用されることにより、粘着テープを適切に巻き付ける作業が容易となる。
【００１５】
また、コルゲートチューブに巻き付けられる粘着テープは、主としてその長手方向に引っ張られる力を受ける。そのため、コルゲートチューブの表面において、突起部が、粘着テープの経路である螺旋の経路に直交する方向に伸びて形成されていれば好適である。これにより、コルゲートチューブは、粘着テープとの間の摩擦抵抗がより大きくなり、粘着テープが剥がれにくい特性がより顕著となる。
【図面の簡単な説明】
【００１６】
【図１】本発明の実施形態に係るコルゲートチューブ１０の側面図である。
【図２】コルゲートチューブ１０の側面における第１例に係る第一突起部の部分の拡大図である。
【図３】コルゲートチューブ１０に粘着テープが巻き付けられる途中の状態における本発明の実施形態に係るワイヤハーネス１の主要部の側面図である。
【図４】ワイヤハーネス１の主要部の側面図である。
【図５】コルゲートチューブ１０の側面における第２例に係る第一突起部の部分の拡大図である。
【発明を実施するための形態】
【００１７】
以下、添付の図面を参照しながら、本発明の実施形態について説明する。以下の実施形態は、本発明を具体化した一例であり、本発明の技術的範囲を限定する事例ではない。本発明の実施形態に係るワイヤハーネスは、例えば、自動車などの車両に搭載され、バッテリ又はインバータ回路などの電力供給源と電装機器との間、又は複数の電装機器相互間を接続する。
【００１８】
＜コルゲートチューブ＞
まず、図１及び図２を参照しつつ、本発明の実施形態に係るコルゲートチューブ１０について説明する。図１及び図２に示されるように、コルゲートチューブ１０は、電線９の周囲を覆う筒状の電線保護具である。コルゲートチューブ１０は、例えば、ポリアミド（ＰＡ）、ポリプロピレン（ＰＰ）、ポリブチレンテレフタレート（ＰＢＴ）又はＡＢＳ樹脂などの樹脂からなる一体成形部材である。
【００１９】
コルゲートチューブ１０は、その長手方向に沿って表面に出っ張り部１２とへこみ部１３とが交互に連続して形成された蛇腹構造を有している。この蛇腹構造により、コルゲートチューブ１０は、その長手方向において湾曲しやすい柔軟性を有している。さらに、コルゲートチューブ１０は、その長手方向全体に渡る一連の切れ目１１が形成されている。
【００２０】
コルゲートチューブ１０は、所定の治具を用いて切れ目の両側へ拡げられることによって長手方向全体に渡る隙間が形成され、電線９は、その隙間からコルゲートチューブ１０内へ挿入される。
【００２１】
なお、図１において、出っ張り部１２は、コルゲートチューブ１０における外側の周面において相対的に出っ張った部分を示しているが、外側の出っ張り部１２の裏側に位置する内側の面は、相対的にへこんで形成されている。同様に、外側のへこみ部１３は、コルゲートチューブ１０における外側の周面において相対的にへこんだ部分を示しているが、外側のへこみ部１３の裏側に位置する内側の面は、相対的に出っ張って形成されている。
【００２２】
また、図１に示されるコルゲートチューブ１０は、蛇腹式の周面が形成された円筒状の部材である。しかしながら、コルゲートチューブ１０は、蛇腹式の周面が形成された他の形状の筒であることも考えられる。例えば、コルゲートチューブ１０は、蛇腹式の周面が形成された楕円の筒状又は四角い筒状の部材であることも考えられる。
【００２３】
図１及び図２において、一点鎖線は、コルゲートチューブ１０の外側表面における粘着テープが巻かれるべき経路の一例である一本の螺旋の経路、即ち、コイル状の経路を表す。以下、この経路のことを目標螺旋経路Ｄ１と称する。なお、図１において、目標螺旋経路Ｄ１を表す一点鎖線は、あくまでコルゲートチューブ１０の外側表面における一本の螺旋の経路をイメージしやすくするために記された線であり、必ずしも実際の螺旋の経路を正確に記す線ではない。
【００２４】
また、図１及び図２において、二点鎖線は、コルゲートチューブ１０を側方から見た場合におけるコルゲートチューブ１０の長手方向に直交する方向と、目標螺旋経路Ｄ１に直交する方向とを表す。以下、コルゲートチューブ１０の長手方向に直交する方向のことを横断面方向Ｄ０と称し、目標螺旋経路Ｄ１に直交する方向のことを螺旋直交方向Ｄ２と称する。コルゲートチューブ１０を側方から見た場合、目標螺旋経路Ｄ１は、横断面方向Ｄ０に対して鋭角の角度θをなす。角度θは、例えば、約５°以上、約２０°以下の範囲内である。
【００２５】
＜ワイヤハーネスの突起部（第１例）＞
コルゲートチューブ１０における外側表面の出っ張り部１２の部分には、コルゲートチューブ１０に巻き付けられるゴム製の粘着テープに食い込む複数の突起部２０，３０が形成されている。また、複数の突起部２０，３０には、コルゲートチューブ１０の外側表面における目標螺旋経路Ｄ１に沿う位置に形成された複数の第一突起部２０と、その他の位置に形成された複数の第二突起部３０とが含まれる。第一突起部２０及び第二突起部３０は、例えば、約０．５ｍｍから約１．０ｍｍ程度の高さで形成されている。
【００２６】
図１及び図２に示される第一突起部２０は、粘着テープが巻かれる経路の目印となる目印用突起部の第１例である。図１に示されるように、複数の第一突起部２０は、それぞれ同一の形態で形成された複数の柱状の要素突起部の集合であり、それらの形態は第二突起部３０の形態とは異なっている。
【００２７】
また、図２に示されるように、第１例に係る第一突起部２０には、目標螺旋経路Ｄ１に沿って並ぶ複数の柱状の第一要素突起部２１が含まれる。粘着テープを巻く作業者は、これら第一要素突起部２１の配列方向を、コルゲートチューブ１０に巻かれる粘着テープの長手方向の目標方向として認識する。さらに、第１例に係る第一突起部２０には、螺旋直交方向Ｄ２に沿って並ぶ複数の第二要素突起部２２も含まれる。粘着テープを巻く作業者は、これら第二要素突起部２２の配列方向を、粘着テープの幅方向の目標方向として認識する。なお、図１及び図２に示される例では、第一突起部２０には、３つの第一要素突起部２１と、２つの第二要素突起部２２とが含まれる。
【００２８】
一方、第二突起部３０は、それぞれ同一の形態で形成された複数の柱状の要素突起部の集合であるが、それらの形態は第一突起部２０の形態とは異なっている。図１に示される例では、第二突起部３０は、複数の要素突起部がコルゲートチューブ１０の長手方向に沿って並べられた形態を有する。なお、図１に示される例では、第二突起部３０には、２つの要素突起部が含まれる。
【００２９】
＜ワイヤハーネス＞
図３及び図４は、本発明の実施形態に係るワイヤハーネス１の主要部の側面図である。但し、図３は、粘着テープが巻き付けられる途中の状態におけるワイヤハーネス１の主要部の側面図である。図３及び図４において、図１及び図２に示される構成要素と同じ構成要素は、同じ参照符号が付されている。
【００３０】
図３及び図４に示されるように、ワイヤハーネス１は、電線９と、電線の周囲を囲うコルゲートチューブ１０と、コルゲートチューブ１０に巻き付けられた粘着テープ８とを備える。ワイヤハーネス１が備えるコルゲートチューブ１０は、図１及び図２に示されたコルゲートチューブである。
【００３１】
＜電線＞
電線９は、導線が絶縁被覆によって覆われたケーブルであり、例えば、丸ケーブル又はフラットケーブルなどである。また、電線９の端部には、通常、不図示のコネクタが設けられている。電線９は、その周囲にコルゲートチューブ１０が取り付けられることにより、周囲に存在する物体との接触による破損が防がれる。また、電線９とコルゲートチューブ１０との間には、電線９の周囲を覆う編組線などのシールド部材が設けられることもある。
【００３２】
＜粘着テープ＞
粘着テープ８は、一方の面に接着剤の層が形成されたゴム製の帯状の部材である。電線９が挿入されたコルゲートチューブ１０は、電線９が切れ目１１から外側へはみ出さないように、粘着テープ８で巻かれることによって筒状に保持される。また、粘着テープ８は、コルゲートチューブ１０の外側表面における目標螺旋経路Ｄ１に沿って巻き付けられる。即ち、ワイヤハーネス１において、粘着テープ８は、第一突起部２０に沿って螺旋状にコルゲートチューブ１０に対して巻き付けられている。
【００３３】
図３及び図４において、一点鎖線は、粘着テープ８の中心線を表す。ワイヤハーネス１において、粘着テープ８は、その幅方向の中心がコルゲートチューブ１０における第一突起部２０の第一要素突起部２１と重なるように巻き付けられる。即ち、第一突起部２０は、コルゲートチューブ１０に巻き付けられる粘着テープ８の幅方向の中心を合わせる目印として機能する。
【００３４】
ワイヤハーネス１において、粘着テープ８は、その接着剤の層の側から第一突起部２０及び第二突起部３０が食い込んだ状態で、コルゲートチューブ１０に巻き付けられている。なお、コルゲートチューブ１０において、粘着テープ８は、その両端各々から所定の長さ分の範囲において、横断面方向Ｄ０に沿って、或いは目標螺旋経路Ｄ１に沿う方向よりも横断面方向Ｄ０に近い方向に沿って重ねて巻かれることが多い。従って、粘着テープ８は、少なくともその両端部各々に重ねて巻かれた部分以外の部分において、目標螺旋経路Ｄ１に沿ってコルゲートチューブ１０に巻かれる。
【００３５】
＜効果＞
コルゲートチューブ１０において、外側表面の出っ張り部１２の部分、即ち、粘着テープ８と接触する面には、粘着テープ８に食い込む複数の突起部２０，３０が形成されている。それら突起部２０，３０は、コルゲートチューブ１０における粘着テープ８の接着層との接触面積を大きくするとともに、粘着テープ８との間の摩擦抵抗を大きくする役割を果たす。従って、コルゲートチューブ１０は、従来のコルゲートチューブに比べ、粘着テープ８との接着性が良好であり、粘着テープ８が剥がれにくい特性を有する。
【００３６】
また、複数の第一突起部２０は、コルゲートチューブ１０の外側表面における一本の目標螺旋経路Ｄ１に沿う位置に形成されている。そのため、テーピングを行う作業者が、粘着テープ８をそれら第一突起部２０に沿って巻き付けるだけで、粘着テープ８は、コルゲートチューブ１０に対して適切な螺旋の経路に沿って巻き付けられる。コルゲートチューブ１０が採用されることにより、粘着テープ８を適切に巻き付ける作業が容易となる。
【００３７】
また、一般に、コルゲートチューブに粘着テープを巻き付ける工程では、ゴム製の粘着テープ８は、巻き付けの終端部分において指でコルゲートチューブに押し付けられつつ引きちぎられる。しかしながら、コルゲートチューブにおいて、粘着テープ８との接着性が良くない場合、粘着テープ８をコルゲートチューブの表面に押し付ける力が弱いと、粘着テープ８は、引きちぎられる際に無駄に伸びやすく、ちぎれにくい。
【００３８】
しかしながら、図１から図４に示されたコルゲートチューブ１０においては、粘着テープ８との接着性が良いため、巻き付けられた粘着テープ８を引きちぎる際に要する力が小さくて済む。従って、コルゲートチューブ１０が採用されることにより、粘着テープ８の終端部分を引きちぎる作業も容易となる。
【００３９】
＜ワイヤハーネスの突起部（第２例）＞
図５は、コルゲートチューブ１０の側面における第２例に係る第一突起部２０の部分の拡大図である。コルゲートチューブ１０において、図５に示される第２例に係る第一突起部２０が、図２に示される第１例に係る第一突起部２０の代わりに形成されることも考えられる。
【００４０】
図５に示されるように、第２例に係る第一突起部２０は、目標螺旋経路Ｄ１に沿って配列された複数の第三要素突起部２３を含む。これら第三要素突起部２３各々は、目標螺旋経路Ｄ１に直交する螺旋直交方向Ｄ２に伸びて形成された突起部である。図５に示される例では、第一突起部２０は、目標螺旋経路Ｄ１に沿って配列された３つの第三要素突起部２３を含む。
【００４１】
コルゲートチューブ１０に巻き付けられる粘着テープ８は、主としてその長手方向に引っ張られる力を受ける。そのため、コルゲートチューブ１０の表面に、目標螺旋経路Ｄ１に直交する方向を長手方向とする第一突起部２０が形成されていれば、コルゲートチューブ１０は、粘着テープ８との間の摩擦抵抗がより大きくなる。その結果、コルゲートチューブ１０において、粘着テープ８が剥がれにくい特性がより顕著となる。さらに、粘着テープ８の終端部分を引きちぎる作業もより容易となる。
【００４２】
＜その他＞
コルゲートチューブ１０において、第一突起部２０及び第二突起部３０の全てが、螺旋直交方向Ｄ２に伸びて形成された突起部であってもよい。その場合、第二突起部３０は、例えば、第一突起部２０と比較して、長手方向の長さが異なる長さで形成されていること、或いは、異なる数の要素突起部から構成されていることが考えられる。
【００４３】
また、コルゲートチューブ１０が、第二突起部３０が形成されていない構成、即ち、出っ張り部１２に第一突起部２０のみが形成された構成を有することも考えられる。この場合のコルゲートチューブ１０も、従来のコルゲートチューブに比べ、粘着テープ８との接着性が高く、粘着テープが剥がれにくい特性を有する。
【００４４】
また、コルゲートチューブ１０において、その表面に、第一突起部２０又は第二突起部３０と同様の複数の突起部が、目標螺旋経路Ｄ１に沿う位置の第一突起部２０及びその他の第二突起部３０の区別なく形成された構成が採用されることも考えられる。この場合のコルゲートチューブ１０も、従来のコルゲートチューブに比べ、粘着テープ８との接着性が高く、粘着テープが剥がれにくい特性を有する。但し、この場合、粘着テープ８を目標螺旋経路Ｄ１に沿って容易に巻くことができるという有利な特性は失われる。
【符号の説明】
【００４５】
１  ワイヤハーネス
８  粘着テープ
９  電線
１０  コルゲートチューブ
１１  コルゲートチューブの切れ目
１２  コルゲートチューブの出っ張り部
１３  コルゲートチューブのへこみ部
２０  第一突起部
２１  第一要素突起部
２２  第二要素突起部
２３  第三要素突起部
３０  第二突起部
Ｄ０  横断面方向（コルゲートチューブの長手方向に直交する方向）
Ｄ１  目標螺旋経路
Ｄ２  螺旋直交方向（目標螺旋経路に直交する方向）
【図１】
2012090500.tif 000003
【図２】
2012090500.tif 000004
【図３】
2012090500.tif 000005
【図４】
2012090500.tif 000006
【図５】
2012090500.tif 000007